(57)【要約】【課題】多段式ホールド機能を有するブラジャーカップ構造を提供する。【解決手段】多段式ホールド機能を有するブラジャーカップ構造であって、弾性繊維編地布のカップ素材一側面に、大面積の第一単一方向弾性編織布を貼合し、更に、第一単一方向編織布表面上に、小面積の第二単一方向編織布を貼合し、且つ、第二単一方向弾性編織布の弾性伸縮方向は、第一単一方向弾性編織布と交差状で、これにより、熱圧成型されたカップは、無弾性部位、単一方向の弾性領域、全方向の弾性領域を形成し、異なる弾性、支承性、及び、延展性を有し、着用者に多段式の支承機能を提供する。【選択図】図３
0003139021.tif 000002
【実用新案登録請求の範囲】
【請求項１】
多段式ホールド機能を有するブラジャーカップ構造であって、適当な形状の弾性繊維編地布の一側面の適当な位置に、大面積の第一単一方向弾性編織布を貼合し、更に、前記第一単一方向編織布表面上に、小面積の第二単一方向編織布を貼合し、且つ、前記第二単一方向弾性編織布の弾性伸縮方向は、前記第一単一方向弾性編織布と交差状で、前記第一単一弾性編織布と前記第二単一編織布の重畳箇所が無弾性部位を形成し、前記第一単一弾性編織布と前記第二単一編織布の未重畳箇所が単一方向の弾性領域を形成し、前記第一単一弾性編織布以外の部位が全方向の弾性領域を形成することを特徴とする多段式ホールド機能を有するブラジャーカップ構造。
【請求項２】
前記第一単一弾性編織布は、弾性繊維編地布のストラップとアンダーベルト固定縁の適当な位置に貼合されることを特徴とする請求項１に記載の多段式ホールド機能を有するブラジャーカップ構造。
【請求項３】
前記第一単一弾性編織布は、弾性繊維編地布の底縁に近い適当な位置に貼合されることを特徴とする請求項１に記載の多段式ホールド機能を有するブラジャーカップ構造。
【請求項４】
前記第二単一弾性編織布は、前記第一単一弾性編織布の外側地各に貼合されることを特徴とする請求項１に記載の多段式ホールド機能を有するブラジャーカップ構造。
【請求項５】
前記無弾性領域、単一方向弾性領域、及び、全方向弾性領域は、それぞれ、カップの内側の１／３の面積を占めることを特徴とする請求項１に記載の多段式ホールド機能を有するブラジャーカップ構造。
【考案の詳細な説明】
【技術分野】
【０００１】
本考案は、ブラジャーのカップに関するものであって、特に、カップの異なる位置で異なる弾性、支承性、及び、延展性を提供し、多段式ホールド機能を有するカップ構造に関するものである。
【背景技術】
【０００２】
ブラジャーは女性が直接身に着けるものであり、近年、女性のブラジャーの品質に対する要求が高まっている。多くが、身に着けたときの品質と快適さを求め、乳房を支承するカップは、ブラジャーにとって最も重要な部分であり、市場競争力にもある程度の影響を有する。
【０００３】
現在、よく見られるカップ構造は、大部分が、真綿カップとウレタンカップの二種あり、真綿カップは、低弾性の真綿不織布表面に内、外表層布を貼合するものである。この種のカップは、不織布の低延展、低弾性の特性を有し、優れた支承性を有するが、長期使用、或いは、水洗すると凹陥変形しやすく、弾性、及び、包覆性が悪く、着用感が悪い、などの欠点がある。ウレタンカップは、高弾性のウレタン表面に、内、外表層布を貼合し、このカップは、高延展、高弾性の機能を有し、使用者に快適な着用感を提供するが、支承包覆性が悪い。また、どのカップであっても、その各部位の弾性、支承性、及び、延展性の機能は皆同じで、各部位の要求に応じて対応する多段式機能を提供することができず、実用性が悪い。
【考案の開示】
【考案が解決しようとする課題】
【０００４】
本考案は、多段式ホールド機能を有するブラジャーカップ構造を提供し、上述の問題を解決することを目的とする。
【課題を解決するための手段】
【０００５】
本考案の多段式ホールド機能を有するブラジャーカップ構造は、弾性繊維編地布（カップ素材）（ポリエステル、或いは、ポリエステル＋スパンデックス弾性ネット）の一側面の適当な位置に、大面積の第一単一方向弾性編織布を貼合し、更に、第一単一方向編織布表面上に小面積の第二単一方向編織布を貼合し、且つ、第二単一方向弾性編織布の弾性伸縮方向は、第一単一方向弾性編織布と交差状で、第一単一弾性編織布と第二単一編織布の重畳箇所が無弾性部位を形成し、これにより、熱圧成型したカップは異なる弾性、支承性、及び、延展性の領域を形成する。
【０００６】
本考案のカップの各部位は異なる弾性、支承性、及び、延展性を有し、優れた集中、ホールド効果、及び、包覆効果を提供し、胸を圧迫したり、その他の不快感を与えることがない。
【０００７】
本考案は、特定部位が無弾性に設計され、ブラジャーが好ましい支承性を有する。
【考案の効果】
【０００８】
本考案により、ブラジャーのカップは、異なる弾性、支承性、及び、延展性の領域を形成し、優れた集中、ホールド効果、及び、包覆効果を提供し、胸を圧迫したり、その他の不快感を与えることがない。また、特定部位が無弾性に設計され、ブラジャーが好ましい支承性を有する。
【考案を実施するための最良の形態】
【０００９】
図１〜図３で示されるように、本考案は、適当な形状の弾性繊維編地布１０（ポリエステル、或いは、ポリエステル＋スパンデックス弾性ネット）の一側面のストラップとアンダーベルト固定縁の適当な位置に、大面積の第一単一方向弾性編織布２０を貼合し、第一単一方向弾性編織布２０の方向性は、ストラップ固定縁からもう一側に斜めに延伸し、更に、第一単一方向編織布２０表面の外側に近いところに、小面積の第二単一方向編織布３０を貼合し、且つ、第二単一方向弾性編織布３０の弾性伸縮方向は、第一単一方向弾性編織布２０と交差状である。続いて、型内に入れて、熱圧方式で、立体のカップを成型し、カップの第一単一弾性編織布２０と第二単一編織布３０の重畳箇所が、カップ内側の約１／３の面積を占める無弾性部位Aを形成する。カップの第一単一弾性編織布２０と第二単一編織布３０の未重畳箇所は、カップ内側の約１／３の面積を占める単一方向の弾性領域Bを形成し、第一単一弾性編織布２０以外の部位は、カップ内側面の約１／３の面積を占める全方向の弾性領域Cを形成し、これにより、カップは異なる弾性、支承性、及び、延展性の領域を形成する。
【００１０】
図４で示されるように、カップをブラジャーにして、着用する時、カップの無弾性領域Aは乳房を支承する功能を影響し、乳房は中央に集中される。単一弾性領域Bは、快適な集中、及び、引き上げ効果を有する。全方向弾性領域Cは、全面的な延展包覆効果を提供する。
【００１１】
図５は本考案にもう一つの実施例を示す図で、適当な形状の弾性繊維編地布１０’（ポリエステル、或いは、ポリエステル＋スパンデックス弾性ネット）の一側面の底縁に近い適当な位置に、大面積の第一単一方向弾性編織布２０’を貼合し、第一単一方向弾性編織布２０’の表面の外側に近いところに、小面積の第二単一方向編織布３０’を貼合し、且つ、第二単一方向弾性編織布３０’の弾性伸縮方向は、第一単一方向弾性編織布２０’と交差状である。続いて、型内に入れて、熱圧方式で、立体のカップを成型し、カップの第一単一弾性編織布２０’と第二単一編織布３０’の重畳箇所が、無弾性部位A’を形成する。カップの第一単一弾性編織布２０’と第二単一編織布３０’の未重畳箇所は、単一方向の弾性領域B’を形成する。第一単一弾性編織布２０’以外の部位は、全方向の弾性領域C’を形成し、これにより、カップは異なる弾性、支承性、及び、延展性の領域を形成する。
【００１２】
上述の実施例の構造により、以下のような効果が得られる。
１．カップは、無弾性領域A、A’、単一方向弾性領域B、B’、及び、全方向弾性領域C、C’を形成し、多段式の異なる弾性、支承性、及び、延展性を有し、優れた集中と包覆効果を提供し、着用時に、胸が圧迫されたり、その他の不快感を与えない。
２．特定部位が、無弾性領域A、A’に設計され、ブラジャーが好ましい支承性を有し、着用時に変形しない。
【００１３】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１４】
【図１】本考案の立体分解図図である。
【図２】本考案のカップに成型する前の平面図である。
【図３】本考案のカップに成型後の平面図である。
【図４】本考案のブラジャーの構造図である。
【図５】本考案のもう一つの実施例によるカップに成型後の平面図である。
【符号の説明】
【００１５】
１０、１０’  弾性繊維編地布
２０、２０’  第一単一方向弾性編織布
３０、３０’  第二単一方向弾性編織布
A、A’        無弾性領域
B、B’        単一方向弾性領域
C、C’        全方向弾性領域
【図１】
0003139021.tif 000003
【図２】
0003139021.tif 000004
【図３】
0003139021.tif 000005
【図４】
0003139021.tif 000006
【図５】
0003139021.tif 000007